(57)【特許請求の範囲】
【請求項１】
キヤビテイ（５）を有する金型内で延性金属からなる管状の素材（１）を内部高圧成形するための装置であって、金型が下部（２）及び取外し可能な上部（３）を有し、これら下部（２）及び上部（３）のうち一方の部分（３）が、他方の部分（２）から除去可能にかつ昇降可能に架枠（２３）内に設けられ、更に下部（２）と上部（３）をまとめる機構（６，７，１３〜２１）として差込締結具（１３〜２０）が設けられ、該差込締結具（１３〜２０）が、金型（２，３）の水平な輪郭を含む円周上にありかつ金型（２，３）に対して回転可能なリング（１６）により係合及び係合解除可能な少なくとも４つの係止部（１４，１９）と、前記リング（１６）を回転させる液圧シリンダ（１７）とを備えているものにおいて、
前記機構（６，７，１３〜２１）がカツプ（７）の形に構成され、金型（２，３）がこのカツプ（７）に挿入されており、前記リング（１６）が、金型の昇降可能な部分である上部（３）に取付けられた蓋（６）に設けられ、かつ蓋（６）の蓋板（１５）とリング（１６）との間に接線方向の力成分を生じる液圧シリンダ（１７）により回転可能であることを特徴とする、内部高圧成形のための装置。
【請求項２】
下部（２）及び上部（３）が、カツプ（７）の底（９）及び蓋（６）にそれぞれ支持されていることを特徴とする、請求項１に記載の装置。
【請求項３】
液圧シリンダ（１７）が、ほぼ半径方向に延びる部分を蓋板（１５）及びリング（１６）に枢着される揺動子（１８）を介して、リング（１６）へ作用することを特徴とする、請求項１又は２に記載の装置。
【請求項４】
リング（１６）が上部（３）を直接押圧することを特徴とする、請求項１に記載の装置。
【請求項５】
差込締結具（１３〜２０）が少なくとも８つの係止部（１４，１９）を有することを特徴とする、請求項１ないし４の１つの記載の装置。
【請求項６】
リング（１６）の半径方向外方に突出した歯（１９）が、カツプ（７）の側壁にある歯（１４）の下に係合することを特徴とする、請求項２ないし５の１つの記載の装置。
【請求項７】
蓋（６）が、架枠（２３）内で案内棒（２２）と引張棒（２５）とによって保持されていることを特徴とする、請求項３ないし６の１つの記載の装置。
【発明の詳細な説明】
【０００１】
【産業上の利用分野】
本発明は、キヤビテイを有する金型内で延性金属からなる管状の素材を内部高圧成形するための装置であって、金型が下部及び取外し可能な上部を有し、これら下部及び上部のうち一方の部分が、他方の部分から除去可能にかつ昇降可能に架枠内に設けられ、更に下部と上部をまとめる機構として差込締結具が設けられ、該差込締結具が、金型の水平な輪郭を含む円周上にありかつ金型に対して回転可能なリングにより係合及び係合解除可能な少なくとも４つの係止部と、前記リングを回転させる液圧シリンダとを備えているものに関する。
【０００２】
【従来の技術】
この機構は大きな力を吸収しなければならないが、しかし他方で各仕上げ過程のときには加工物を挿入し又取出すととができるように、下部からの上部の取外しを可能としなければならない。それ故に、通常は金型がプレスフレームと同様に設置され、上部はプレスの上部ポンチのように、そのなかで昇降可能に設けられる。
【０００３】
【発明が解決しようとする課題】
本発明の課題はこの構造支出を減らすことである。
【０００４】
【課題を解決するための手段】
本発明によれば、この課題は、前記機構がカツプの形に構成され、金型がこのカツプに挿入されており、前記リングが、金型の昇降可能な部分である上部に取付けられた蓋に設けられ、かつ蓋の蓋板とリングとの間に接線方向の力成分を生じる液圧シリンダにより回転可能であることによって解決される。
【０００５】
この解決策では、力は金型の上部を昇降させるために引き続き必要な架枠によつて吸取されるのではなく、下部と上部との間で金型で直接に補償される。回転可能なリングでもつて、プレス型の開閉は比較的簡単迅速に行うことができる。
【０００６】
この原理はさまさまな仕方で実現することができる。
【０００７】
本発明の好ましい構成によれば、機構がほぼカツプ形に構成されており、金型がそのなかに挿入されている。リングは金型の上部と結合されたカツプの蓋に設けられており、かつ残りの蓋とリングとの間で接線方向力の成分で働く液圧シリンダによつて、好ましくはほば半径方向の延長部でもつて残りの蓋とリングとに枢着された揺動子を介して回転可能である。
【０００８】
しかし、例えばリングを金型の下部又は上部自体に設けて、例えばそれぞれ他方の部分に冠体として設けられた歯等の後方のみを把持させることも、まつたく可能である。
【０００９】
カツプと金型に設けられた差込締結具の直接的造形との間での部分的解決策及び移行的解決策も可能である。
【００１０】
下部及び上部内にその周面近傍で、少なくとも４個所で力を導入することは、例えば相対向した単に２つの結合部間で上に曲がるであろう金型を確実に閉保持するのに必要である。しかし差込締結具は好ましくは少なくとも８つの係止部を、最も良くはまつたく連続した列の係止部を有し、この場合好ましくは機構が力を下部及び上部内に一貫して環状に伝達する。
【００１１】
しかし周面近傍で環状又は点状に力を導入すると、引続き内部に力の導入が起き、つまり例えば下部の底が全面で支えられ、上部の上面に全面で押圧されることが可能となる。
【００１２】
この場合特に（しかし専らではないが）、金型はカツプの内部空間よりも小さくしておくことができ、又円とは別の形状も、例えば矩形、特に正方形の形状を有することができる。
【００１３】
本発明を有利に構成するのに利用することのできるその他の措置は、１実施例の以下の説明のなかに明示されている。
【００１４】
【実施例】
管状素材１を内部高圧成形するための金型は、素材１の水平な切断面４で接合される下部２及び上部３とからなる。金型のキヤビテイ５は略示されている。
【００１５】
金型は蓋６を備えたカツプ７に挿入されている。
【００１６】
環状基礎８に設置されたカツプ７は単に環状のカツプ底９で、下部２を下から把持する。こうして下部２の下に存在する空洞内に、シリンダ１０によつて昇降可能な突き板１１が設けられており、例えば内部高圧成形後に中空体を加工物内に押圧するために、又は高圧の作用中にノズルを成形するための空洞をゆつくりと開放する等のために、突き板は金型内に作用する突き棒（図示せず）の取付を可能とする。
【００１７】
管状素材１の延長上にカツプ７の側壁が２つの凹部１２を有し、この凹部を通して圧力媒体接続口を菅状素材１の方に前送りすることができる。
【００１８】
上側でカツプ壁の内面に、切削周溝１３によつて歯１４の冠体が仕上げられている。
【００１９】
蓋６は蓋板１５と、これを取囲みかつ更に下方に張り出したリング１６とからなる。両部品は図示されない単純な環状軸受によつて互いに結合されている。上部３は蓋板１５に固着されている。
【００２０】
リング１６は３つの液圧シリンダ１７と３つの揺動子１８とによつて蓋板に対して回転可能である。２つの継手間を結ぶ直線が中央でほぼ半径方向に整列するように、揺動子１８は蓋板１５とリング１６とに枢着されている。液圧シリンダ１７は接線方向にできるだけ近似した整列で蓋板１５と揺動子１８とに枢着されている。
【００２１】
リング１６の下方に延びた部分に外向きの歯１９の冠体が成形されており、この歯は蓋６がカツプ７に載置されるとカツプの歯１４間を下降し、次にリング１６の回転によつて歯１４の下に移動される。その際、それぞれ２つの歯１４，１９に設けられた傾斜面２０によつて締付力が生じ、この締付力でリング１６が上部３のフランジ状段差部２１に押圧される。
【００２２】
こうして金型の下部２と上部３が互いに押圧されて保持される。
【００２３】
型締のための操作力はカツプ／蓋／金型ユニツトの内部で補償される。
【００２４】
リング１６は蓋板１５と剛性に結合しておくこともできよう。しかしこの場合、蓋板は同様に上部３に対して回転させられねばならないであろう。
【００２５】
説明された装置が図３に図１の断面図に対応した側面図で、しかしほとんど覆い隠されて、変更を伴つて見られる。ある程度認めることができるのは、基礎８，シリンダ１０，突き板１１，カツプ７及び蓋６である。
【００２６】
揺動子１８の３つの内側継手の軸線は案内棒２２として上方に延長されて、機枠となる基本的にＣ形状の架枠２３の上側ビームに移動可能に挿通されている。その間の中央に、架枠の上側ビーム内に取付けられた昇降シリンダ２４のピストン棒が蓋６に固着２６するための引張棒２５として延設されている。
【００２７】
菅状素材１の方に前送り可能な前記圧力媒体接続口が覆い隠されて設けられている。しかし該当する排出機構２７と前送り機構２８を見ることができる。
【００２８】
管状素材１はそれぞれ蓋６及び上部３が持ち上げられると、下面がクランプ内に挿入される。蓋６と、それに掛けられた上部３は次に昇降シリンダ２４によつて下ろされる。蓋のリング１６に設けられた歯１９はカツプ７に設けられた歯１４間を滑り下りる。上部３が下部２に載置された後、液圧シリンダ１７の操作によつてリング１６が回転させられる。これにより、既に述べられた仕方で構造体となる差込締結具が鎖錠され、上部３が下部２と保持される。圧力媒体接続口が前送りされて、管状素材１と結合される。作動流体が最終的には例えば６０００ｂａｒで押し込まれることによつて、素材が拡張されて述べられたように、略示されただけのキヤビテイ５の壁に押圧される。こうして成形された加工物が生じる。
【００２９】
成形後、上述の過程が逆の方向及び順序で繰り返される。
【図面の簡単な説明】
【図１】金型と金型の下部と上部とを保持する機構との垂直断面図である。
【図２】図１に示す装置の平面図である。
【図３】架枠内の金型と機構との装置全体の側面図である。
【符号の説明】
２                  金型下部
３                  金型上部
１                  素材
５                  キヤビテイ
６，７，１３〜２１  機構
【図１】
0003709894.tif 000002
【図２】
0003709894.tif 000003
【図３】
0003709894.tif 000004